【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
レーダーシステムであって、
クロック信号またはモード信号のうちの少なくとも一方を生成するように構成されたコントローラと、
送信機であって、
フラクショナルＮシンセサイザからなる位相ロックループ（ＰＬＬ）と、
ダイレクトデジタルシンセサイザ（ＤＤＳ）と
からなるシンセサイザと、
二重モード送信機と、
を有し、前記シンセサイザと前記二重モード送信機が、生成されたクロック信号又はモード信号のうちの少なくとも一方に基いて、第１のモードまたは第２のモードの信号を生成するように構成されたことを特徴とする送信機と、
生成された信号を送信し、送信された信号に基づいてリターン信号を受信するように構成されたアンテナと、
シンセサイザよって生成された一方と同等な信号に基づいて、および、生成されたクロック信号又はモード信号の少なくとも一方に基いて、第１又は第２のモードによって受信されたリターン信号を処理するように構成されたレシーバと、
処理されたリターン信号に包含されるターゲットの存在を判断するように構成された１又はそれ以上のプロセッサと、
前記判断に基づいてプレゼンテーションを出力するように構成された出力デバイスと、
を有することを特徴とするシステム。
【請求項２】
前記第１のモードが、周波数変調連続波（ＦＭＣＷ）モード、または、ストレッチパルス圧縮モードの少なくとも一方からなることを特徴とする請求項１に記載のシステム。
【請求項３】
前記第２のモードが、線形または非線形の周波数変調（ＬＦＭ、ＮＬＦＭ）パルス圧縮モードの少なくとも一方からなることを特徴とする請求項１に記載のシステム。
【請求項４】
前記送信機が、
可変減衰器と、
複数のアンプと、
モジュレータと、
低域フィルタと
を含み、
前記可変減衰器及びモジュレータが、生成されたモード信号によって作動することを特徴とする請求項１に記載のシステム。
【請求項５】
前記送信機が、SおよびX周波数帯の信号を生成することを特徴とする請求項１に記載のシステム。
【請求項６】
シンセサイザが、第１のシンセサイザを有し、システムが更に、
ＦＭＣＷおよびストレッチパルス圧縮信号を予め処理するように構成された第１のレシーバと、
ＬＦＭおよびＮＬＦＭパルス圧縮信号を予め処理するように構成された第２のレシーバと、
を有することを特徴とし、
前記システムが更に、
前記第２のレシーバによって使用するための第２の信号およびリターン信号と組み合わせるために第１の信号を生成するように構成された第２のシンセサイザと、
前記第２のシンセサイザによって生成された信号または第１の信号の少なくとも一方と前記リターン信号とを組み合わせるように構成されたミキサと、
を有することを特徴とする、請求項１に記載のシステム。
【請求項７】
前記送信機が、窒化ガリウム（ＧａＮ）マイクロ波送信機からなることを特徴とする請求項１に記載のシステム。
【請求項８】
ＤＤＳのフィルタされた出力は、第１の信号を生成するためにクロック信号と混ぜられ、
ＰＬＬは、電圧制御された発振器（ＶＯＣ）を有し、ＰＬＬは、クロック信号及びモード信号に基づいて第２の信号を生成し、モード信号に基づいて調整されたパワー及び周波数となった後の第２の信号は、第３の信号を生成するためにフィルタリングされ、増幅された後の第１の信号と混ぜられ、第３の信号は、第４の信号を生成するために調整されたパワーとなった後の第２の信号と関連する信号と混ぜられ、第４の信号は、増幅され、フィルタリングされた後、送信機に送信される、ことを特徴とする請求項１に記載のシステム。
【請求項９】
コントローラで、クロック信号またはモード信号の少なくとも１つを生成するステップと、
フラクショナルＮシンセサイザと、位相ロックループ（ＰＬＬ）と、ダイレクトデジタルシンセサイザ（ＤＤＳ）とを備えたシンセサイザで、及び、二重モード送信機で、生成されたクロック信号及びモード信号に基いて第１のモード又は第２のモードの信号を生成するステップと、
アンテナで、生成された信号を送信するステップと、
レシーバで、送信された信号に基いてリターン信号を受信するステップと、
１またはそれ以上のプロセッサで、生成されたクロック信号又はモード信号のうちの１つに基いて第１又は第２のモードによって、受信されたリターン信号を予め処理するステップと、
１またはそれ以上のプロセッサで、予め処理されたリターン信号に包含されたターゲットの存在を判断するステップと、
出力デバイスで、前記判断に基づいてプレゼンテーションを出力するステップと
を有することを特徴とする方法。
【請求項１０】
前記第１のモードが、周波数変調連続波（ＦＭＣＷ）モード、または、ストレッチパルス圧縮モードの少なくとも一方からなることを特徴とする請求項９に記載の方法。
【請求項１１】
前記第２のモードが、線形または非線形の周波数変調（ＬＦＭ、ＮＬＦＭ）パルス圧縮モードの少なくとも一方からなることを特徴とする請求項９に記載の方法。
【請求項１２】
前記送信機が、SおよびX周波数帯の信号を生成することを特徴とする請求項９に記載の方法。
【請求項１３】
前記予め処理するステップが、
オペレーションの第１のモードが決定されたとき、ＦＭＣＷおよびストレッチパルス圧縮信号の少なくとも１つを予め処理するステップと、
オペレーションの第２のモードが決定されたとき、ＬＦＭおよびＮＬＦＭパルス圧縮信号の少なくとも１つを予め処理するステップと、
を有することを特徴とする請求項９に記載の方法。
【請求項１４】
前記第１のモード又は第２のモードの信号を生成するステップが、
ＤＤＳの出力をフィルタリングするステップと、
第１の信号を生成するために、ＤＤＳのフィルタリングされた出力をクロック信号と混ぜるステップと、
クロック信号およびモード信号に基づいてＰＬＬで第２の信号を生成するステップと、
モード信号に基づいて第２の信号の周波数及びパワーを調整するステップと、
第３の信号を生成するために、第１の信号がフィルタリングされ、増幅された後、第２の信号を第１の信号と混ぜるステップと、
第４の信号を生成するために、パワーが調整された後、第３の信号を第２の信号と関連する信号と混ぜるステップと、
増幅され、フィルタリングされた後、第４の信号を送信機に送るステップと、
を有することを特徴とする請求項９に記載の方法。
【請求項１５】
クロック信号およびモード信号を生成する手段と、
生成されたクロック信号およびモード信号に基づいて、第１のモードまたは第２のモードの信号を生成する手段と、
生成された信号を送信する手段と、
送信された信号に基づいてリターン信号を受信する手段と、
生成されたクロック信号およびモード信号に基づいて、第１のモードまたは第２のモードによって受信されたリターン信号を予め処理する手段と、
予め処理されたリターン信号に包含されたターゲットの存在を判断する手段と、
判断に基づいてプレゼンテーションを出力する手段と、
を有することを特徴とするシステム。
【請求項１６】
第１のモードまたは第２のモードの信号を生成する手段が、
ＤＤＳの出力をフィルタリングする手段と、
第１の信号を生成するためにＤＤＳのフィルタリングされた出力をクロック信号と混ぜる手段と、
クロック信号およびモード信号に基づいて、ＰＬＬで第２の信号を生成する手段と、
モード信号に基づいて第２の信号の周波数及びパワーを調整する手段と、
第１の信号が、第３の信号を生成するためにフィルタリングされ、増幅された後、調整された第２の信号を第１の信号と混ぜる手段と、
第４の信号を生成するためにパワーが調整された後、第３の信号を、第２の信号と関連する信号と混ぜる手段と、
増幅され、フィルタリングされた後、第４の信号を送信機に送信する手段と
を有することを特徴とする請求項１５に記載のシステム。
【請求項１７】
前記第１のモードが、周波数変調連続波（ＦＭＣＷ）モード、または、ストレッチパルス圧縮モードの少なくとも一方からなることを特徴とする請求項１５に記載のシステム。
【請求項１８】
前記第２のモードが、線形または非線形の周波数変調（ＬＦＭ、ＮＬＦＭ）パルス圧縮モードの少なくとも一方からなることを特徴とする請求項１５に記載のシステム。
【請求項１９】
第１のモードまたは第２のモードの信号を生成する手段が、シンセサイザからなり、
前記シンセサイザが、フラクショナルＮシンセサイザ、位相ロックループ（ＰＬＬ）回路、ダイレクトデジタルシンセサイザ（ＤＤＳ）からなることを特徴とする請求項１５に記載のシステム。
【請求項２０】
第１のモードまたは第２のモードの信号を生成する手段が、送信機からなり、
前記送信機が、
可変減衰器と、
複数のアンプと、
モジュレータと、
低域フィルタと
を含むことを特徴とする請求項１５に記載のシステム。